【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
ピペット装置のピペット導管（１０）の連結構造（２２）であって、ピペットチップ（３０）又は実験装置、実験ツール及び同等物といった作業器具（３０）を連結構造に連結するためのものであり、前記連結構造（２２）は、軸方向を定義するピペット導管軸（Ｐ）に沿って延在するピペット導管部分を取り囲んでおり、前記連結構造（２２）の自由な長手方向端（２２ｂ）には圧力付与開口部（２６）が設けられており、該圧力付与開口部（２６）には前記ピペット導管部分が開口しており、また、前記ピペット導管軸（Ｐ）を取り囲んで主に軸方向に延在し、周方向においては前記ピペット導管軸（Ｐ）の周りに延在する、前記ピペット導管軸（Ｐ）に関して半径方向外側の前記連結構造の外側面には、半径方向に動く連結突起（４４）が設けられている、連結構造において、
前記連結突起（４４）は略変形不能に、しかし半径方向に移動可能に、半径方向において弾力的であるばね装置（４２）に設けられていることを特徴とする、連結構造。
【請求項２】
負荷を受けていない前記連結突起（４４）は、前記ばね装置（４２）の弾力的な力に抗して、半径方向内側に前記ピペット導管軸（Ｐ）に向かう半径方向の力により、半径方向に移動可能であることを特徴とする、請求項１に記載の連結構造。
【請求項３】
前記連結突起（４４）が前記ピペット導管軸（Ｐ）を完全に取り囲んでいることを特徴とする、請求項１又は２に記載の連結構造。
【請求項４】
前記ばね装置（４２）が少なくとも一つの板ばね装置（４６）を有しており、該板ばね装置（４６）は、圧力付与開口部から離れた軸方向端から、圧力付与開口部に近い軸方向端まで延在していることを特徴とする、請求項１から３のいずれか一項に記載の連結構造。
【請求項５】
前記少なくとも一つの板ばね装置（４６）の、圧力付与開口部に近い軸方向端が、前記連結構造（２２）の、前記圧力付与開口部（２６）を有する端部（３８）にしっかりと接続されており、また、前記板ばね装置（４６）の、圧力付与開口部から遠い軸方向端が、前記連結構造（２２）の導管側の部分（４０）にしっかりと接続されていることを特徴とする、請求項４に記載の連結構造。
【請求項６】
前記連結突起（４４）が複数の部分連結突起（４４）に分割されていて、そのそれぞれが、一つの、半径方向において弾力的なばね装置（４２）、とりわけ板ばね装置（４６）に設けられていることを特徴とする、請求項１から５のいずれか一項に記載の連結構造。
【請求項７】
請求項６に記載の連結構造が、望ましくは平行である複数の板ばね装置（４６）を備えており、そのそれぞれが一つの部分連結突起（４４）を有していることを特徴とする、連結構造。
【請求項８】
周方向において直接的に隣接する２つの板ばね装置（４６）が、その間に周方向間隙（４８）を有しており、そのため周方向において互いに間隔を空けて配置されていることを特徴とする、請求項７に記載の連結構造。
【請求項９】
少なくとも一つの部分連結突起（４４）、望ましくは複数の部分連結突起（４４）、さらに望ましくはすべての部分連結突起（４４）が、それぞれ部分連結突起（４４）が設けられている板ばね装置（４６）と一体で構成されていることを特徴とする、請求項７又は８に記載の連結構造。
【請求項１０】
前記圧力付与開口部（２６）を有する、前記連結構造（２２）の端部（３８）に、前記連結構造（２２）に連結されたピペットチップ（３０）を、前記連結構造（２２）に対して相対的に確実に位置決めするための位置保持構造（５４、５８）が設けられていることを特徴とする、請求項１から９のいずれか一項、とりわけ請求項５に記載の連結構造。
【請求項１１】
前記位置保持構造（５４、５８）が、半径方向の肩部（５４の場合）、又は／及び、前記ピペット導管軸に沿って延在する円筒状部分（５８）、又は／及び、円錐面を有することを特徴とする、請求項１０に記載の連結構造。
【請求項１２】
請求項１から１１のいずれか一項に記載の連結構造に、前記連結構造（２２）の周りを囲む密閉リング（５０）が設けられており、該密閉リング（５０）は、前記連結構造（２２）にピペットチップ（３０）が連結された連結状態において、前記ピペットチップ（３０）内部のピペット容積（２８）が、前記ピペットチップ（３０）の連結セクション（３０ａ）において外部環境に対して気密に密閉されるように構成されていることを特徴とする、連結構造。
【請求項１３】
前記密閉リング（５０）が、少なくとも一つの軸方向部分において、前記圧力付与開口部（２６）に向かって先細になるように構成されていることを特徴とする、請求項１２に記載の連結構造。
【請求項１４】
前記密閉リング（５０）が、前記連結突起（４４）と比べて、前記連結構造（２２）の前記自由な長手方向端（２２ｂ）からより遠くに配置されていることを特徴とする、請求項１２又は１３に記載の連結構造。
【請求項１５】
前記ばね装置（４２）、前記連結突起（４４）、前記圧力付与開口部（２６）を有する前記連結構造の端部（３８）、及び前記連結構造（２２）の自由な長手方向端（２２ｂ）から、軸方向において前記ばね装置（４２）に比べてより遠くに位置する、前記連結構造（２２）の導管側の部分（４０）が、一体で構成されていることを特徴とする、請求項１から１４のいずれか一項に記載の連結構造。
【請求項１６】
請求項１から１５のいずれか一項に記載の連結構造を有するピペット装置であって、ピペット導管（１０）を備え、該ピペット導管（１０）の一部が、前記連結構造（２２）の前記ピペット導管部分を形成しているピペット装置において、
前記ピペット装置にピペットピストン（１６）が設けられており、該ピペットピストン（１６）の、圧力付与開口部に近い長手方向端（１６ａ付近）が、前記連結突起（４４）と比べて、前記圧力付与開口部（２６）により近い位置にくるまで、該ピペットピストン（１６）を前記連結構造（２２）の前記ピペット導管部分に軸方向に挿入可能であり、また、ここから引き抜き可能であるように、該ピペットピストン（１６）は少なくともその圧力付与開口部に近い長手方向端（１６ａ付近）において寸法付けされており、及び、ピペット導管（１０）内で移動可能なように前記ピペット装置に収容されていることを特徴とする、ピペット装置。
【請求項１７】
請求項１から１５のいずれか一項に記載の連結構造（２２）を備える、請求項１６に記載のピペット装置であって、ピペット導管（１０）を備え、該ピペット導管（１０）の一部が前記連結構造（２２）の前記ピペット導管部分を形成しており、前記ピペット装置には軸方向に移動可能な取り外し装置（１２）が設けられており、該取り外し装置（１２）は、軸方向の取り外し移動中、接触面（６４）により、前記連結構造（２２）に連結されたピペットチップ（３０）又は実験装置、実験ツール及び同等物といった作業器具（３０）の対接触面（６６）に接触係合し、それにより、この接触係合が形成された後も取り外し移動を継続することにより前記ピペットチップ（３０）が前記連結構造（２２）から取り外され、それにより前記ピペット装置からはずれるように構成されている、ピペット装置において、
前記取り外し装置（１２）の前記接触面（６４）は、取り外し移動の軸方向の移動方向（Ｕ）に関して傾斜又は／及び湾曲していることを特徴とする、ピペット装置。